(57)【要約】      （修正有）【課題】基材上に第１の画線を印刷し、その上にスクリーン印刷やラミネート加工を使用し透明な材料の層を形成し、更にその上に第１の画線を遮蔽することが可能な第２の画線及び第３の画線を印刷することで、第２、第３の画線が遮蔽しない部分から第１の画線を選択的に観察できるため、透明なカード基材に表裏印刷を行うことでしか実現できなかったものを、紙などの不透明な基材上でも観察角度が変化することにより色彩及び画像が変化していく形成体に関する。【解決手段】基材の一部又は全部に、前記基材の色とは異なるｎ色（ｎは整数）の複数の第１の画線２と、前記第１の画線と非画線の上に透明又は半透明な材料によって所定の厚さを有する層と、前記層の上に前記第１の画線に対応して第２及び第３の複数の画線４が構成され、前記第２の画線によりメッセージが形成されており、前記第３の画線により背景が形成されて成る画像形成体である。【選択図】図１
2005246746.tif 000002
【特許請求の範囲】
【請求項１】
基材の一部又は全部に、前記基材の色とは異なるｎ色（ｎは整数）の複数の第1の画線と、前記第1の画線と非画線の上に透明又は半透明な材料によって所定の厚さを有する層と、前記層の上に前記第1の画線に対応して第2及び第3の複数の画線が構成され、前記第2の画線によりメッセージが形成されており、前記第3の画線により背景が形成されていることを特徴とする画像形成体。
【請求項２】
基材の一部又は全部に、それぞれ異なるｎ色（ｎは整数）の第1の線、第2の線・・・第ｎの線からなる第1の画線が隙間なく形成され、前記第1の画線上に透明又は半透明な材料によって所定の厚さを有する層と、前記層の上に前記第1の画線に対応して第2及び第3の複数の画線が構成され、前記第2の画線によりメッセージが形成されており、前記第3の画線により背景が形成されていることを特徴とする画像形成体。
【請求項３】
前記第２の画線と前記第３の画線は、前記第1の画線のピッチとｍ倍（ｍは０以上の数）のピッチを有することを特徴とする請求項１及び２記載の画像形成体。
【請求項４】
前記第１の画線、前記第2の画線及び前記第3の画線が点線、波線、実線であることを特徴とする請求項１、２及び３記載の画像形成体。
【請求項５】
前記第２の画線及び前記第３の画線は、前記第１の画線、前記非画線及び前記層を遮蔽することができる材料であることを特徴とする請求項１、２、３及び４記載の画像形成体。
【請求項６】
前記第２の画線と前記第３の画線の画線幅が異なる又は画線がずれていることを特徴とする請求項１、２、３、４及び５記載の画像形成体。
【請求項７】
前記第1の画線の一部で画線幅が異なる又は画線がずれることによりメッセージを形成したことを特徴とする請求項１、２、３、４、５及び６記載の画像形成体。
【請求項８】
前記第１の画線の配列角度と前記第２、第３の画線の配列角度が異なっていることを特徴とする請求項１、２、３、４、５、６又は７記載の画像形成体。
【請求項９】
前記透明又は半透明な層が、機能性材料を有していることを特徴とする請求項１、２、３、４、５、６、７又は８記載の画像形成体。
【請求項１０】
前記第１の画線、第２の画線、第３の画線及び透明又は半透明な層が印刷により施されていることを特徴とする請求項１、２、３、４、５、６、７、８又は９記載の画像形成体。
【請求項１１】
基材の一部又は全部に、前記基材の色とは異なるｎ色（ｎは整数）の複数の第1の画線と、前記第1の画線と非画線の上に透明又は半透明な材料によって所定の厚さを有する層と、前記層の上に前記第1の画線に対応して第２の画線が形成されていることを特徴とする画像形成体。
【請求項１２】
基材の一部又は全部に、それぞれ異なるｎ色（ｎは整数）の第1の線、第2の線・・・第ｎの線からなる第1の画線が隙間なく形成され、前記第1の画線上に透明又は半透明な材料によって所定の厚さを有する層と、前記層の上に前記第1の画線に対応して第２の画線が形成されていることを特徴とする画像形成体。
【請求項１３】
前記第２の画線は、前記第1の画線のピッチとｍ倍（ｍは０以上の数）のピッチを有することを特徴とする請求項１１及び１２記載の画像形成体。
【請求項１４】
前記第1の画線及び前記第２の画線が点線、波線、実線であることを特徴とする請求項１１、１２及び１３記載の画像形成体。
【請求項１５】
前記第２の画線は、前記第1の画線及び前記層を遮蔽することができる材料であることを特徴とする請求項１１、１２、１３及び１４記載の画像形成体。
【請求項１６】
前記第1の画線の一部で画線幅が異なる又は画線がずれることによりメッセージを形成したことを特徴とする請求項１１、１２、１３、１４及び１５記載の画像形成体。
【請求項１７】
前記第１の画線の配列角度と前記第２の画線の配列角度が異なっていることを特徴とする請求項１１、１２、１３、１４、１５又は１６記載の画像形成体。
【請求項１８】
前記透明又は半透明な層が、機能性材料を有していることを特徴とする請求項１１、１２、１３、１４、１５、１６又は１７記載の画像形成体。
【請求項１９】
前記第１の画線、第２の画線及び透明又は半透明な層が印刷により施されていることを特徴とする請求項１１、１２、１３、１４、１５、１６、１７又は１８記載の画像形成体。
【発明の詳細な説明】
【技術分野】
【０００１】
本発明は、銀行券、郵券、旅券、株券、有価証券、通行回数券、カード等の偽造、変造を防止する必要のある印刷物に適用される形成体に関するものである。
【背景技術】
【０００２】
従来ではコピー機やスキャナーを使用した偽造を防止するためにホログラムや観察角度を変化すると色彩が変わる光学的変化インキを使用したものがある。しかし、これらは非常に高価であるため、大量に製造するにはコストがかかる問題があった。そのため、カードなどの透明基材を利用して裏に印刷された画像と表面に印刷された画像により、裏面の画像を選択して出現させ、さらに、観察角度を変化させることで異なった画像を出現させるものがある（例えば特許文献１参照）。
【０００３】
また、透明性シートの表裏に、所定ピッチで並行した筋による縞柄を設け、少なくとも一方の縞柄が夫々色分けされ、少なくとも一方の縞柄は、筋のピッチをずらして模様を形成したものがある（例えば特許文献２参照）。
【０００４】
【特許文献１】特開２００３−３９８６２号公報（第５頁、図１）
【特許文献２】特許第２８０２４８４号公報（第５頁、図５）
【発明の開示】
【発明が解決しようとする課題】
【０００５】
しかし、特開２００３−３９８６２号公報によると、コア層表面に印刷された第１の印刷層には、画像を形成するためのパターンはなく、コア層裏面の第2の印刷層に第１のパターン及び第2のパターンを印刷し第1の印刷層によって隠蔽することで画像の変化を付与している。また、特開２００３−３９８６２号公報に記載の偽造防止カードは、基材の表裏に印刷を行うことが必須条件であり、さらに裏面に印刷される万線模様には隠蔽層に使用される銀ベースの光学特性を表面に視認させるため、万線の間に間隙が作られており、且つ特開２００３−３９８６２号公報の効果を得るためには、透明なカード基材を使用することが前提とされており、紙などの基材上で再現することは不可能である。
【０００６】
また、特許第２８０２４８４号公報によると、縞柄の筋のピッチをずらすことにより模様を形成しているが、幅は均一であるため、模様が背景に対して際立って認識することは不可能である。
【０００７】
更に、特開２００３−３９８６２号公報及び特許第２８０２４８４号公報によると、基材の表裏に印刷を行うこと、及び透明なカード基材を使用することが前提とされており、紙などの基材上で再現することは不可能である。
【０００８】
本発明は、このような従来の問題を解決することを目的としたもので、基材上に画線からなる第１の画線を印刷し、その上に層としてスクリーン印刷やラミネート加工を使用し透明な材料を層に加工し、さらにその上に第１の画線及び層を遮蔽することが可能な第２の画線及び第３の画線の印刷を行うことで、第２、第３の画線が遮蔽しない部分から第１の画線を選択的に観察することにより、透明なカード基材に表裏印刷を行うことでしか実現できなかったものを、紙などの不透明な基材上でも色彩変化や画像のスイッチング効果、すなわち観察角度が変化することにより色彩及び画像が変化していくことが可能となり、偽造防止の必要な有価証券類等に幅広く提供する。
【課題を解決するための手段】
【０００９】
本発明は基材の一部又は全部に、前記基材の色とは異なるｎ色（ｎは整数）の複数の第１の画線と、前記第１の画線と非画線の上に透明又は半透明な材料によって所定の厚さを有する層と、前記層の上に前記第１の画線に対応して第２及び第３の複数の画線が構成され、前記第２の画線によりメッセージが形成されており、前記第３の画線により背景が形成されていることを特徴とする画像形成体である。
【００１０】
本発明は基材の一部又は全部に、それぞれ異なるｎ色（ｎは整数）の第１の線、第２の線・・・第ｎの線からなる第１の画線が隙間なく形成され、前記第１の画線上に透明又は半透明な材料によって所定の厚さを有する層と、前記層の上に前記第１の画線に対応して第２及び第３の複数の画線が構成され、前記第２の画線によりメッセージが形成されており、前記第３の画線により背景が形成されていることを特徴とする画像形成体である。
【００１１】
本発明は第２の画線と第３の画線は、第１の画線のピッチとｍ倍（ｍは０以上の数）のピッチを有することを特徴とする画像形成体である。
【００１２】
本発明は第１の画線、第２の画線及び第３の画線が点線、波線、実線であることを特徴とする画像形成体である。
【００１３】
本発明は第２の画線及び第３の画線は、第１の画線、非画線及び層を遮蔽することができる材料であることを特徴とする画像形成体である。
【００１４】
本発明は第２の画線と第３の画線の画線幅が異なる又は画線がずれていることを特徴とする画像形成体である。
【００１５】
本発明は第１の画線の一部で画線幅が異なる又は画線がずれることによりメッセージを形成したことを特徴とする画像形成体である。
【００１６】
本発明は第１の画線の配列角度と第２、第３の画線の配列角度が異なっていることを特徴とする画像形成体である。
【００１７】
本発明は透明又は半透明な層が、機能性材料を有していることを特徴とする画像形成体である。
【００１８】
本発明は第１の画線、第２の画線、第３の画線及び透明又は半透明な層が印刷により施されていることを特徴とする画像形成体である。
【００１９】
本発明は基材の一部又は全部に、前記基材の色とは異なるｎ色（ｎは整数）の複数の第１の画線と、前記第1の画線と非画線の上に透明又は半透明な材料によって所定の厚さを有する層と、前記層の上に前記第１の画線に対応して第２の画線が形成されていることを特徴とする画像形成体である。
【００２０】
本発明は基材の一部又は全部に、それぞれ異なるｎ色（ｎは整数）の第１の線、第２の線・・・第ｎの線からなる第１の画線が隙間なく形成され、前記第１の画線上に透明又は半透明な材料によって所定の厚さを有する層と、前記層の上に前記第１の画線に対応して第２の画線が形成されていることを特徴とする画像形成体である。
【００２１】
本発明は第２の画線は、第1の画線のピッチとｍ倍（ｍは０以上の数）のピッチを有することを特徴とする画像形成体である。
【００２２】
本発明は第１の画線及び第２の画線が点線、波線、実線であることを特徴とする画像形成体である。
【００２３】
本発明は第２の画線は、第１の画線及び層を遮蔽することができる材料であることを特徴とする画像形成体である。
【００２４】
本発明は第１の画線の一部で画線幅が異なる又は画線がずれることによりメッセージを形成したことを特徴とする画像形成体である。
【００２５】
本発明は第１の画線の配列角度と第２の画線の配列角度が異なっていることを特徴とする画像形成体である。
【００２６】
本発明は透明又は半透明な層が、機能性材料を有していることを特徴とする画像形成体である。
【００２７】
本発明は第１の画線、第２の画線及び透明又は半透明な層が印刷により施されていることを特徴とする画像形成体である。
【００２８】
本発明は、層の透明又は半透明な材料の厚みが１μmから３０００μmの範囲であることを特徴とする画像形成体である。
【００２９】
本発明は、各々の画線の線幅が１０μmから１０００μmの範囲であることを特徴とする画像形成体である。
【００３０】
本発明は、各々の画線のピッチが２０μmから２０００μｍの範囲であることを特徴とする画像形成体である。
【発明の効果】
【００３１】
基材表面に施した第１の画線と、その上に透明又は半透明な材料により層を持たせ、さらにその上に施した第２の画線及び第３の画線からなる基材表面の画線の一部を遮蔽することができる程度の濃度を持った材料、すなわち黒色などを施すことにより、真上から観察したときは第１の画線の一部が観察でき、観察角度を変化することにより、遮蔽される第１の画線が変化することで、画線が色の配色である場合は色の変化が現れ、画線が破線や点線、または網点などを利用した図形であれば画像の変化が認識できる。
【００３２】
また、透明又は半透明な層をインキにより基材上に設けることで、従来ではカード基材など透明なフィルム素材でしかなしえなかった画像の変化が、上質紙などの紙の表面でも行えるようになり、有価証券類などに幅広く採用することが可能となる。
【００３３】
また、メッセージを形成する画線の幅と、背景を構成する画線の幅を異ならせることにより、同一の画線幅で画線をずらしてメッセージを形成するよりも、より一層メッセージを際立たせて認識することが可能となる。
【００３４】
また、第１の画線と透明又は半透明な層の上に施される第２、及び第３の画線の配列角度を異ならせることにより、基材に対してどの角度から観察しても、虹彩色に認識でき、装飾性がさらに向上する。
【００３５】
更に、透明又は半透明な層に、蓄光、ガラスフレーク、コレステリック液晶、紫外線発光、赤外線反射及び赤外線吸収等の光を透過する機能性顔料を入れることにより、更なる偽造防止効果が可能となる。
【００３６】
本発明の画像形成体は、銀行券、郵券、旅券、株券、有価証券、回数券、カード、入場券、証明書等の偽造や変造を防止する必要のある形成体はもちろんのこと、ブランドプロテクションと呼ばれるブランドの真贋判別のほか、品質を保証するためのタグに活用することや、クリスマスカードや贈答品メッセージカード等のグリーティングカードと呼ばれる装飾性を向上させたい一般的な印刷物に活用することも可能である。
【発明を実施するための最良の形態】
【００３７】
次に図面を参照に本発明にかかる画像形成体の実施形態について説明する。
図１は本発明における基本構成を示す平面図である。図２は図１におけるＡ−Ａ´断面図である。さらにａからｃは第１の画線２と第２、第３の画線４とのレリーフ模様の重なり具合を拡大して示したものである。ａでは第１の画線２に対して第２、第３の画線４のレリーフ模様が印刷されており、ｂでは非画線５に対して第２、第３の画線４のレリーフ模様が印刷されている状態を示している。ｃは第１の画線２と非画線５とまたがるように印刷されており、いずれの状態も本発明を構成することは可能であるが、第２の画線はａの状態で第３の画線はｂの状態にて実施するとより好ましい。なお、第１の画線のピッチに対して、第２、第３の画線はｍ倍のピッチで構成することが好ましく、この場合のｍは０以上の数となるが、より好ましいのは１以上の整数である。
【００３８】
図３は本発明における図１の基本原理を説明する図である。ａでは形成体を真上から観察したときに第１の画線２は第２、第３の画線４によって一部が遮蔽されることにより、非画線５が観察され、ｂでは観察角度を変化することで層３の厚みにより第２、第３の画線４に遮蔽されていた第１の画線２が観察される。
【００３９】
また、層３における材料の高さ（非画線では基材からの高さ、第１の画線上では第１の画線からの高さ）は２０μｍから３０００μｍの範囲が好ましい。２０μｍ以下であると画像のスイッチング効果が明瞭に現れず、また３０００μｍ以上であれば、画像のスイッチング効果は明瞭になる。
【００４０】
層３に使用される透明又は半透明の材料は、インキのみならず透明又は半透明なラミネートフィルムや、ホログラムの貼付に使用される熱圧着による透明箔押し（ホットスタンピング）を応用することで本発明と同様の効果が得ることができる。また、層を透明な樹脂などで射出成型し、第1の画線及び基材に張り合わせることも可能である。
【００４１】
さらに層３に使用される材料内部に、蓄光、ガラスフレーク、コレステリック液晶、紫外線発光、赤外線反射及び赤外線吸収等の光を透過する機能性顔料を入れることにより、更なる偽造防止効果の向上を図ることができる。また、層３に使用される透明又は半透明な材料のうち少なくとも一つの材料は、第１の画線２の画線上に印刷した場合、第１の画線２が視認できる程度の透明性が好ましく、色調も特に限定されるものではない。
【００４２】
図４は第１の画線２において基材１を隠蔽したものを示す平面図であり、図５は図４におけるＢ−Ｂ´断面図である。さらに、ａからｃは第１の画線２と第２、第３の画線４の重なり具合を拡大して示したものである。aは第１の画線２の画線２本に対して第２、第３の画線４の画線１本が印刷されており（例えば第１の層において１本１５０μmの線が３本配列されて４５０μmの線が一つのパターンとしているとき、第２、第３の画線は線幅３００μm、ピッチ４５０μｍにすることが望ましい。）、ｂでは第１の画線２本に対してまたがるように印刷されており（ａと画線幅及びピッチ配列は同様であるが第１の画線と第２、第３の画線において重なり具合が異なっている。）、ｃでは第１の画線２の画線１本に対して第２、第３の画線４の画線１本が印刷されており（例えば第１の画線において１本１５０μmの線が３本配列されて４５０μmの線が一つのパターンとしているとき、第２、第３の画線も線幅１５０μm、ピッチ４５０μｍにすることが望ましい。）いずれの状態でも本発明を構成することは可能でありａからｃの組み合わせも可能である。
【００４３】
図６は本発明における図４の基本原理を説明する図である。ａでは形成体を真上から観察したときに第１の画線２は第２、第３の画線４によって一部が遮蔽されることにより、第１の画線２の一部が観察され、ｂでは観察角度を変化することで層３の厚みにより第２、第３の画線に遮蔽されていた第１の画線２の一部が観察される。ｃではｂの観察角度と別角度から観察することで、ｂと異なった画像を認識することが可能となる。
【００４４】
図７は第１の画線、第２、第３の画線に使用される万線の状態を示した図である。ａは実線であり、ｂ及びｃは点線であり、ｄは点線であるが線の間隔が不連続であることを示す。ｅは波線であるが波の大きさや振幅数は小さいものが好ましい。この図では正弦波を模しているが矩形波等を利用することも可能である。しかし、ａに示すような直線が好ましい。ｆ、ｇ、ｈは一本の線から分岐されたものであり、部分的にこのような分岐線を利用することでさらなる偽造防止効果が得られる。ｆは分岐された線が接することなく分離している状態であり、ｇはｆと比べ分岐された線が接している。ｈは分岐された線が２本ではなく３本となっている。また、分岐線にｂ、ｃ、ｄのような点線を応用することも可能である。第１の画線及び第２、第３の画線にこれらすべてを応用することが可能であるがａに示すような実線がより好ましい。
【００４５】
また、第１の画線、及び第２、第３の画線に使用される各画線幅は１０μｍから１０００μｍの間で実施されることが好ましい。この範囲以外でも本発明を実施することは可能であるが層の高さが２０μｍから３０００μｍの範囲で実施するとき、本発明における画像の変化を明瞭に認識するには各画線幅を１０μｍから１０００μｍの範囲にすることがより好ましい。
【００４６】
図８は第１の画線２におけるメッセージ８と背景の万線の様子を示す図である。ａはメッセージと背景に差がなく第１の画線と非画線のみの構成であり、ｂはメッセージと背景に差がなく画線のみの構成であり（ａは非画線があり、ｂは非画線がない）、ｃは背景に比べてメッセージ８が細い（淡く認識）状態で構成されており、ｄは背景に比べてメッセージ８が太い（濃く認識）状態で構成されており、ｅは背景に比べてメッセージ８が細い（淡く認識）状態で画線のみにて構成されており（ｃは非画線が有るがｅでは非画線はない）、ｆは背景に比べてメッセージ８が太い（濃く認識）状態で画線のみにて構成されており（ｄは非画線が有るがｆでは非画線はない）、ｇは背景とメッセージ８のピッチをずらして構成したものであり（ａの状態においてメッセージのピッチを背景とずらしてある）、ｈはｇと同様であるが非画線がない状態である。第1の画線はいずれの状態においても実施可能である。
【００４７】
図９は第２、第３の画線４における第２の画線からなるメッセージ６と第３の画線からなる背景７の各万線の様子を示す図である。ａはメッセージ６と背景７の差がなく万線のみの構成であり、ｂはメッセージ６と背景７のピッチがずれて構成されており、ｃは背景７に比べてメッセージ６が太い（濃く認識）状態で構成されており、ｄは背景７に比べてメッセージ６が細い（淡く認識）状態で構成されている。第２、第３の画線はいずれの状態においても実施可能である。
【００４８】
図１０は第１の画線及び第２、第３の画線におけるメッセージと背景の万線の様子を示す図であり、ａからｅの図はメッセージと背景の画線の重なり具合を拡大して示すものである。ａではメッセージと背景の画線が離れている状態であり、ｂでは画線がずれている状態であり、ｃではメッセージの画線が背景の画線に比べて太くなっている状態であり、ｄではメッセージの画線が背景の画線に比べて細くなっている状態であり、ｅではメッセージの画線が背景の画線と結合しながらもずれている状態（レリーフ模様）を示しており、いずれの状態でも本発明を構成することができａからｅの組み合わせも可能である。
【００４９】
また、第１の画線及び第２、第３の画線がメッセージと背景に区分けされ、メッセージが背景に比べてピッチをずらしてレリーフ模様とする場合は、背景のピッチの範囲でレリーフ模様を立ち上げることが好ましい。すなわち画線幅１５０μｍ、ピッチ３００μｍの万線模様の場合、メッセージのピッチずれ間隔は１μｍから２９９μｍにするとよい。さらに１００μｍから２００μｍにすると視認性が向上するので好ましい。
【００５０】
さらに、第２、第３の画線に用いられる材料は、第1の画線及び層を遮蔽できる程度の濃度が必要であり、これを満たすものものであれば色彩は特に限定されるものではない。
【００５１】
また、第２、第３の画線におけるインキの高さ（層からの高さ）は２０μｍ以下にしたほうがよい。好ましくは５μｍ以下である。これは第２、第３の画線のインキに必要以上の高さがあると、斜めから観察したときに、インキの高さによって第１の画線の隣り合う画線が認識しにくくなるためである。
【００５２】
図１１は第１の画線、第２及び第３の画線の配列状態を示す図である。ａは第１の画線における背景及び第３の画線（背景）と第１の画線におけるメッセージ及び第２の画線（メッセージ）が平行に配列されている様子を示したものである。ｂはメッセージを０度の配列とした場合、背景の配列角度（この図では配列角度を変化させていることを明確にするため４５度程度とした）を変化させて配列されている様子を示したものである。ｃは第１の画線における背景と第３の画線（背景）を０度とし第１の画線におけるメッセージと第2の画線（メッセージ）の配列角度（この図では配列角度を変化させていることを明確にするため４５度程度とした）を変化させたものを示した図である。ａ、ｂまたはｃいずれの配列角度でも本発明を構成することは可能であるが、ａに示すような平行がより好ましい。
【００５３】
また、第１の画線を０度とした場合、第２、第３の画線は０度から９０度の範囲で配列角度を変化させることも可能であるが、本発明による効果を明瞭に得るには０度から４５度の範囲が好ましい。さらにはデザインの装飾性などを考慮すると２度から１０度の範囲がより好ましい。第１の画線と第２、第３の画線の配列角度を変化させることで互いの画線によるモアレ現象が発生し、第１の画線が赤、青、黄などで印刷したとき、第２、第３の画線によって互いの色が混色することでレインボー状になり装飾性がさらに向上する。
【００５４】
本発明の第１の画線及び第２、第３の画線を形成する材料は、紫外線硬化インキ、電子線硬化インキ、紫外線硬化及び酸化重合機能を併せ持つインキ、酸化重合インキ、溶剤蒸発乾燥型インキ、２液反応型インキなどが使用でき、さらには、インクジェットプリンター、レーザープリンターなど市販のプリンターを使用することも可能である。
【００５５】
また、層に使用される材料は、紫外線硬化インキ、電子線硬化インキ、紫外線硬化及び酸化重合機能を併せ持つインキ、酸化重合インキ、溶剤蒸発乾燥型インキ、２液反応型インキなどが使用できるが、紫外線硬化型インキを使用することが好ましい。
【００５６】
本発明で作製される第１の画線及び第２、第３の画線における各画線の形成は、オフセット印刷、グラビア印刷、凹版印刷、スクリーン印刷、凸版印刷などの印刷機のみならず、市販のプリンターを使用することも可能である。また、層に使用される印刷機は、オフセット印刷、グラビア印刷、スクリーン印刷などが使用できるが、透明または半透明なインキを５μｍから１０μｍ以上を一度に盛ることが可能な印刷機の場合は、スクリーン印刷機で印刷することが好ましい。もちろんオフセット印刷、グラビア印刷の重ね刷りにも使用すれば実施することは可能である。
【００５７】
本発明に使用される基材は、紙であればどのような紙でも使用可能である。例えば上質紙、アート紙、コート紙、微塗工紙などが使用できるが、平滑性の良い紙を使用することが好ましい。また、紙以外でも石油から作られる基材、例えば塩化ビニール、ペット樹脂、ポリエチレン、ポリスチレン、ポリプロピレン等でもインキが定着するものであれば使用可能である。
【００５８】
また、第２、第３の画線にサーモクロミック（示温インキ）を背景またはメッセージのどちらか一方に入れ、もう一方には温度による変化をしないインキにて印刷することより、常温では観察角度を変化で画像のスイッチ効果が現れ、温度が変化することによりサーモクロミックインキが反応して別の画像が浮かび上がらせることも可能である。さらに、第２、第３の画線に赤外反射及び吸収のインキを使用することにより、可視光領域では本発明の効果が得られ、赤外光領域では別の画像が第２、第３の画線に現れることも可能となり、更なる偽造防止効果を得ることができる。
【実施例１】
【００５９】
厚さ１９０μｍ白色微塗工紙からなる基材上に、第１の画線に図７（a）の実線を使用して線幅１５０μmピッチ３００μmにて図８（a）のように黒色で配列したものをオフセット印刷で印刷し、層を紫外線硬化型クリアインキにてインキの盛り１５０μｍのスクリーン印刷によって印刷した上に、第２、第３の画線の線幅を１５０μmピッチ３００μm、第２の画線を図９（ｂ）のように１５０μmのピッチのズレとして図７（a）の実線を使用しメッセージ配列し黒色オフセット印刷を行い、形成体を得た。
【００６０】
図１２は本発明における実施例１の基材１、第１の画線２、層３及び第２、第３の画線４の構成を示す図である。
【実施例２】
【００６１】
厚さ１９０μｍ白色微塗工紙からなる基材上に、第１の画線に図７（a）の実線を使用して線幅１５０μmにてそれぞれ赤、青、黄を線状に配列したものを一つのパターンとし、そのパターンをピッチ４５０μmで図８（ｂ）のように配列したものをオフセット印刷にて印刷し、層を紫外線硬化型クリアインキにてインキの盛り１５０μｍのスクリーン印刷によって印刷した上に、第２、第３の画線の線幅を３００μmピッチ４５０μm、第２の画線を図９（ｂ）のように１５０μmのピッチのズレとしてメッセージ配列し黒色オフセット印刷を行い、形成体を得た。
【００６２】
図１３は本発明における実施例２の基材１、第１の画線２、層３及び第２、第３の画線４の構成を示す図である。実施例１と比較すると第１の画線に非画線が無く、画線によって基材が隠蔽されている。
【実施例３】
【００６３】
厚さ１９０μｍ白色微塗工紙からなる基材上に、第１の画線に図７（a）の実線を使用して線幅１５０μmピッチ３００μmの線の一部に図８（ｇ）を用いて１５０μｍのピッチのズレとして黒色でメッセージ配列したものをオフセット印刷で印刷し、層を紫外線硬化型クリアインキにてインキの盛り１５０μｍのスクリーン印刷によって印刷した上に、第２、第３の画線を図９（ａ）のように線幅を１５０μmピッチ３００μmとして図７（a）にて黒色オフセット印刷を行い、形成体を得た。
【００６４】
図１４は本発明における実施例３の基材１、第１の画線２、層３及び第２、第３の画線４の構成を示す図である。実施例１及び２と比べて第１の画線にメッセージを付与し第２、第３の画線は万線のみである。
【実施例４】
【００６５】
厚さ１９０μｍ白色微塗工紙からなる基材上に、第１の画線に図７（a）の実線を使用して線幅１５０μmにてそれぞれ赤、青、黄を線状に配列したものを一つのパターンとし、そのパターンの一部に図８（ｈ）のように１５０μｍのピッチのズレとしてメッセージ配列したものをオフセット印刷にて印刷し、層を紫外線硬化型クリアインキにてインキの盛り１５０μｍのスクリーン印刷によって印刷した上に、第２、第３の画線の図９（ａ）のように線幅を３００μmピッチ４５０μmとして図７（a）にて黒色オフセット印刷を行い、形成体を得た。
【００６６】
図１５は本発明における実施例４の基材１、第１の画線２、層３及び第２、第３の画線４の構成を示す図である。実施例３と比べて第１の画線に非画線が無く、画線によって基材が隠蔽されている。
【実施例５】
【００６７】
厚さ１９０μｍ白色微塗工紙からなる基材上に、第１の画線に図７（a）の実線を使用して線幅１５０μmピッチ３００μmにて図8（ｅ）のように１５０μｍのピッチのズレとしてメッセージ配列したものをオフセット印刷にて印刷し、層を紫外線硬化型クリアインキにてインキの盛り１５０μｍのスクリーン印刷によって印刷した上に、第２、第３の画線の線幅を１５０μmピッチ３００μmとして図７（a）の実線にて図９（ｂ）を用いて第２の画線を１５０μｍのピッチのズレによってメッセージを配列し、黒色オフセット印刷を行い、形成体を得た。
【００６８】
図１６は本発明における実施例５の基材１、第１の画線２、層３及び第２、第３の画線４の構成を示す図である。第１の画線及び第２、第３の画線にメッセージを付与している。
【実施例６】
【００６９】
厚さ１９０μｍ白色微塗工紙からなる基材上に、第１の画線に図７（a）の実線を使用して線幅１５０μmピッチ４５０μmにてそれぞれ赤、青、黄を線状に配列したものを一つのパターンとし、そのパターンに図８（ｅ）のように１５０μｍのピッチのズレとしてメッセージ配列したものをオフセット印刷にて印刷し、層を紫外線硬化型クリアインキにてインキの盛り１５０μｍのスクリーン印刷によって印刷した上に、第２、第３の画線の線幅を３００μmピッチ４５０μmとして図７（a）の実線にて図９（ｂ）のように第２の画線を１５０μｍのピッチのズレによってメッセージを配列し、黒色オフセット印刷を行い、形成体を得た。
【００７０】
図１７は本発明における実施例６の基材１、第１の画線２、層３及び第２、第３の画線４の構成を示す図である。実施例５と比べて第１の画線に非画線が無く、画線によって基材が隠蔽されている。
【実施例７】
【００７１】
厚さ１９０μｍ白色微塗工紙からなる基材上に、第１の画線に図７（a）の実線を使用して線幅１５０μmピッチ４５０μmにてそれぞれ赤、青、黄を線状に配列したものを一つのパターンとし、そのパターンに図８（ｅ）のように１５０μｍのピッチのズレとしてメッセージ配列したものをオフセット印刷にて印刷し、層に液晶コレスティック顔料入りの紫外線硬化型インキにてインキの盛り１５０μｍのスクリーン印刷によって印刷した上に、第２、第３の画線の線幅を３００μmピッチ４５０μmとして図７（a）の実線にて図９（ｂ）のように第２の画線を１５０μｍのピッチのズレによってメッセージを配列し、黒色オフセット印刷を行い、形成体を得た。
【００７２】
実施例７は実施例６に使用されている層の材料中に機能性材料を混入したものを示すものであり、実施例７のように機能性材料をいれることにより、本発明の色彩変化に伴い、さらなる光学変化が得られ、偽造防止にも更には装飾性を向上させることが可能となる。
【図面の簡単な説明】
【００７３】
【図１】本発明の形成体を真上から示す図である。
【図２】図1におけるＡ−Ａ´断面図を示す図である。
【図３】形成体を斜めから観察したときに画像が変化することを現した模式図である。
【図４】図1において第１の画線に赤、青、黄などの色を使用し基材を隠蔽した形成体を真上から示した模式図である。
【図５】図４におけるＢ−Ｂ´断面図を示す図である。
【図６】図４において形成体を斜めから観察したとき画像が変化することを現した模式図である。
【図７】形成体に使用される第１の画線、第２、第３の画線の万線を示す図である。
【図８】第１の画線の状態を示す図である。
【図９】第２及び第３の画線の状態を示す図である。
【図１０】第１、第２及び第３、第４の画線における万線のズレ（レリーフ模様）の状態を示す図である。
【図１１】第１の画線及び第２、第３の画線における配列角度を示す図である。
【図１２】実施例１の構成を示す図である。
【図１３】実施例２の構成を示す図である。
【図１４】実施例３の構成を示す図である。
【図１５】実施例４の構成を示す図である。
【図１６】実施例５の構成を示す図である。
【図１７】実施例６の構成を示す図である。
【符号の説明】
【００７４】
１  基材
２  第１の画線
３  層
４  第２、第３の画線
５  非画線
６  メッセージ
７  背景
８  第１の画線におけるメッセージ
【図１】
2005246746.tif 000003
【図２】
2005246746.tif 000004
【図３】
2005246746.tif 000005
【図４】
2005246746.tif 000006
【図５】
2005246746.tif 000007
【図６】
2005246746.tif 000008
【図７】
2005246746.tif 000009
【図８】
2005246746.tif 000010
【図９】
2005246746.tif 000011
【図１０】
2005246746.tif 000012
【図１１】
2005246746.tif 000013
【図１２】
2005246746.tif 000014
【図１３】
2005246746.tif 000015
【図１４】
2005246746.tif 000016
【図１５】
2005246746.tif 000017
【図１６】
2005246746.tif 000018
【図１７】
2005246746.tif 000019